(57)【要約】【課題】複数の威嚇装置を用いて従来よりも効果的に不審者を威嚇する。【解決手段】セキュリティシステム１は、撮像部１３を備えた空調機１０と、スピーカ２０Ａ、２０Ｂとを備える。空調機１０は、撮像部１３が撮像した画像に基づいて、対象領域内の不審者を検知する不審者検知部と、不審者検知手部が不審者を検知した場合に、スピーカ２０Ａ、２０Ｂのうち予め定めた基準に合致するスピーカ２０Ａ、２０Ｂに威嚇音の出力を指示する威嚇部とを備える。【選択図】図１
2020080030.tif 000002
【特許請求の範囲】
【請求項１】
対象領域を撮像する撮像装置と、複数の威嚇装置と、制御装置と、を含むセキュリティシステムであって、
前記制御装置は、
前記撮像装置が撮像した画像に基づいて、前記対象領域内の不審者を検知する不審者検知手段と、
前記不審者検知手段が不審者を検知した場合に、前記複数の威嚇装置のうち予め定めた基準に合致する威嚇装置に前記不審者を威嚇するための威嚇動作を実行させる威嚇手段と、
を備えるセキュリティシステム。
【請求項２】
前記威嚇手段は、検出した不審者と前記複数の威嚇装置それぞれとの間の距離に基づいて決定された威嚇装置に前記威嚇動作を実行させる、
請求項１に記載のセキュリティシステム。
【請求項３】
前記威嚇手段は、前記不審者に最も近い威嚇装置に前記威嚇動作を実行させる、
請求項２に記載のセキュリティシステム。
【請求項４】
前記複数の威嚇装置は、音により威嚇動作を行う第１の威嚇装置と、光を出力することにより威嚇動作を行う第２の威嚇装置と、を含み、
前記威嚇手段は、前記不審者との距離が最も近い前記第１の威嚇装置の当該距離が、予め定めた閾値以下の場合は当該第１の威嚇装置に威嚇動作を実行させ、前記閾値よりも大きい場合は前記不審者との距離が最も近い前記第２の威嚇装置に威嚇動作を実行させる、
請求項２に記載のセキュリティシステム。
【請求項５】
前記威嚇手段は、前記対象領域の環境又は時間帯に応じて決定された威嚇装置に前記威嚇動作を実行させる、
請求項１又は２に記載のセキュリティシステム。
【請求項６】
複数の威嚇装置と通信可能な制御装置であって、
対象領域を撮像した画像に基づいて、前記対象領域内の不審者を検知する不審者検知手段と、
前記不審者検知手段が不審者を検知した場合に、前記複数の威嚇装置のうち予め定めた基準に合致する威嚇装置に前記不審者を威嚇するための威嚇動作を実行させる威嚇手段と、
を備える制御装置。
【請求項７】
複数の威嚇装置と通信可能な対象領域を空調する空調機であって、
前記対象領域を撮像する撮像装置と、
前記撮像装置が撮像した画像に基づいて、前記対象領域内の不審者を検知する不審者検知手段と、
前記不審者検知手段が不審者を検知した場合に、前記複数の威嚇装置のうち予め定めた基準に合致する威嚇装置に前記不審者を威嚇するための威嚇動作を実行させる威嚇手段と、
を備える空調機。
【請求項８】
対象領域を撮像した画像に基づいて、前記対象領域内の不審者を検知し、
複数の威嚇装置のうち予め定めた基準に合致する威嚇装置に前記不審者を威嚇するための威嚇動作を実行させる、
威嚇方法。
【請求項９】
複数の威嚇装置と通信可能なコンピュータを、
対象領域を撮像した画像に基づいて、前記対象領域内の不審者を検知する不審者検知手段、
前記不審者検知手段が不審者を検知した場合に、前記複数の威嚇装置のうち予め定めた基準に合致する威嚇装置に前記不審者を威嚇するための威嚇動作を実行させる威嚇手段、
として機能させるプログラム。
【発明の詳細な説明】
【技術分野】
【０００１】
本発明は、不審者を威嚇することが可能なセキュリティシステム、制御装置、空調機、威嚇方法、及び、プログラムに関する。
【背景技術】
【０００２】
部屋に侵入した不審者に対して威嚇を行う技術が知られている。例えば、特許文献１には、侵入者を検知した際に、光と音声を発することで侵入者を威嚇するセキュリティロボットについて記載されている。特許文献２には、不審者を検知した際に、テレビ、照明機器、エアコン等の家電機器を動作させて不審者を威嚇する警報システムが記載されている。
【先行技術文献】
【特許文献】
【０００３】
【特許文献１】特開２００６−３１８１７３号公報
【特許文献２】特開２０１４−１５３９７２号公報
【発明の概要】
【発明が解決しようとする課題】
【０００４】
特許文献１に記載の発明では、不審者を威嚇する威嚇装置は１台のセキュリティロボットのみであるため、セキュリティロボットの威嚇動作に不審者が気づかない虞がある。
【０００５】
特許文献２に記載の警報システムでは、テレビ、照明機器、エアコン等の家電機器が威嚇装置として機能し、それぞれで不審者を威嚇する。しかしながら、威嚇動作が可能な家電機器を選別することなく全て動作させてしまうと、状況によってはかえって威嚇の効果が薄れてしまうという虞もある。
【０００６】
本発明は上記実情に鑑みてなされたものであり、複数の威嚇装置を用いて従来よりも効果的に不審者を威嚇することができるセキュリティシステム、制御装置、空調機、威嚇方法、及び、プログラムを提供することを目的とする。
【課題を解決するための手段】
【０００７】
上記目的を達成するため、本発明に係るセキュリティシステムは、
対象領域を撮像する撮像装置と、複数の威嚇装置と、制御装置と、を含むセキュリティシステムであって、
前記制御装置は、
前記撮像装置が撮像した画像に基づいて、前記対象領域内の不審者を検知する不審者検知手段と、
前記不審者検知手段が不審者を検知した場合に、前記複数の威嚇装置のうち予め定めた基準に合致する威嚇装置に前記不審者を威嚇するための威嚇動作を実行させる威嚇手段と、
を備える。
【発明の効果】
【０００８】
本発明によれば、複数の威嚇装置を用いて従来よりも効果的に不審者を威嚇することができる。
【図面の簡単な説明】
【０００９】
【図１】実施形態１に係るセキュリティシステムの全体構成を示す図
【図２】実施形態１に係る空調機の構成を示すブロック図
【図３】実施形態１の威嚇処理の手順を示すフローチャート
【図４】実施形態２に係るセキュリティシステムの全体構成を示す図
【図５】実施形態２の威嚇処理の手順を示すフローチャート
【図６】その他の例に係るセキュリティシステムの全体構成を示す図
【発明を実施するための形態】
【００１０】
以下、本発明の各実施形態について、図面を参照しながら詳細に説明する。なお、図中同一または相当部分には同一符号を付す。
【００１１】
（実施形態１）
本発明の実施形態１について説明する。図１に示すように、本発明の実施形態１に係るセキュリティシステム１は、部屋内に設置された空調機１０と、２台のスピーカ２０Ａ、２０Ｂとを備える。
【００１２】
空調機１０は、部屋内の空調を行う。空調機１０は、快適な空調を実現するために、部屋内の熱画像を撮像する機能を有する。また、空調機１０は、ユーザからの操作により、「在宅モード」と「留守モード」とに運転モードを切り替えることができ、設定されている運転モードに応じた動作をすることが可能である。
【００１３】
続いて、空調機１０の構成について説明する。図２に示すように、空調機１０は、空調機能部１１と、通信部１２と、撮像部１３と、記憶部１４と、制御部１５と、を備える。
【００１４】
空調機能部１１は、空調機１０の本来的な空調機能を実現するための構成であり、熱交換器、送風機、冷媒配管等を備える。
【００１５】
通信部１２は、Ｗｉ−Ｆｉ（登録商標）、Ｂｌｕｅｔｏｏｔｈ（登録商標）等の規格に準拠した無線通信用のインタフェースを備え、スピーカ２０Ａ、２０Ｂと無線による通信を行う。
【００１６】
撮像部１３は、例えば、赤外線カメラであり、対象領域である部屋内の温度分布を示す熱画像を撮像する。撮像部１３は、部屋の全域を撮像できる位置及び向きに設置されている。撮像部１３は、常時、予め定めたフレームレートで部屋内の熱画像を撮像している。撮像部１３は、本発明の撮像装置の一例である。
【００１７】
記憶部１４は、ＥＥＰＲＯＭ（Electrically Erasable Programmable Read-Only Memory）、フラッシュメモリ等の読み書き可能な不揮発性の半導体メモリ、ＨＤＤ（Hard Disk Drive）等を含んで構成される。記憶部１４には、各種のデータ、制御部１５が実行するためのプログラム等が記憶される。例えば、記憶部１４には、スピーカ２０Ａ、２０Ｂの部屋内での位置を示すデータが記憶されている。
【００１８】
制御部１５は、ＣＰＵ（Central Processing Unit）、ＲＯＭ（Read Only Memory）、ＲＡＭ（Random Access Memory）等（何れも図示せず）を備え、ＣＰＵが、ＲＡＭをワークメモリとして用い、ＲＯＭ、記憶部１４等に記憶されている各種プログラムを適宜実行することにより、上述した各部を制御する。制御部１５は、本発明に係る機能的な構成として、不審者検知部１５１と、威嚇部１５２と、を備える。
【００１９】
不審者検知部１５１は、撮像部１３が撮像した熱画像に基づいて、部屋内の不審者を検知する。具体的には、不審者検知部は、現在の空調機１０の運転モードが「留守モード」であり、熱画像から人と推定できる温度、大きさ、形状の部分を検出できた場合に、当該部分を不審者として検知する。不審者検知部１５１は、本発明の不審者検知手段の一例である。
【００２０】
威嚇部１５２は、不審者検知部１５１が検知した不審者に最も近いスピーカ２０Ａ、２０Ｂを特定する。そして、威嚇部１５２は、通信部１２を介して、不審者を威嚇するための威嚇音の出力を指示する信号を特定したスピーカ２０Ａ、２０Ｂに送信する。威嚇部１５２は、本発明の威嚇手段の一例である。
【００２１】
図１に戻り、スピーカ２０Ａ、２０Ｂは、それぞれ、図面における部屋の左右に固定されて配置されており、無線接続機能を有する。スピーカ２０Ａ、２０Ｂは、空調機１０からの指示に基づいて様々な音を出力する。例えば、スピーカ２０Ａ、２０Ｂは、空調機１０からの指示に基づいて、威嚇音を出力する威嚇動作を実行する。スピーカ２０Ａ、２０Ｂは、本発明に係る威嚇装置の一例である。なお、以下の説明では、スピーカ２０Ａ、２０Ｂを区別しない場合はスピーカ２０とも表記する。
【００２２】
続いて、セキュリティシステム１の動作について説明する。図３は、セキュリティシステム１を構成する空調機１０の制御部１５が実行する威嚇処理の動作を示すフローチャートである。空調機１０の制御部１５は、電源が投入されている間、若しくは、ユーザからの操作によって威嚇処理を実行する設定がなされている間、威嚇処理を実行する。なお、空調機１０は、運転モードが「留守モード」である場合にのみ、威嚇処理を実行してもよい。
【００２３】
まず、空調機１０の制御部１５は、現在の運転モードが「留守モード」であるか否かを判別する（ステップＳ１０１）。「留守モード」でない場合（ステップＳ１０１；Ｎｏ）、「留守モード」に設定されるまで待機する。
【００２４】
一方、運転モードが「留守モード」である場合（ステップＳ１０１；Ｙｅｓ）、制御部１５は、不審者検知部１５１として機能し、撮像部１３が撮像した最新の熱画像に基づいて不審者を検知する（ステップＳ１０２）。
【００２５】
ステップＳ１０２で不審者を検知できない場合（ステップＳ１０３；Ｎｏ）、不審者を威嚇する必要はなく、ステップＳ１０１に処理は戻る。
【００２６】
一方、ステップＳ１０２で不審者を検知できた場合（ステップＳ１０３；Ｙｅｓ）、制御部１５は、威嚇部１５２として機能し、検知した不審者に最も近いスピーカ２０を特定する（ステップＳ１０４）。例えば、制御部１５は、熱画像が示す不審者の位置と、記憶部１４に記憶されているスピーカ２０の位置を示すデータとに基づいて、不審者に最も近いスピーカ２０を特定すればよい。
【００２７】
続いて、制御部１５は、通信部１２を介して、特定したスピーカ２０に威嚇音の出力を指示する（ステップＳ１０５）。これにより、当該指示を受けた不審者に近い方のスピーカ２０からは威嚇音が出力される。例えば、図１に示すように、不審者がスピーカ２０Ｂに近い位置にいる場合は、スピーカ２０Ｂから威嚇音が出力され、スピーカ２０Ａからは出力されない。なお、威嚇音は、「ピーピーピー」のような警報音であってもよいし、「警察に通報します」のような音声メッセージでもよい。威嚇音を出力した後、ステップＳ１０１に処理は戻る。
【００２８】
このように、本実施形態によれば、不審者が検知された場合、複数のスピーカ２０のうち不審者に最も近いという予め定めた基準に合致するスピーカ２０のみから威嚇音が出力される。そのため、不審者に対して、自分が不審な者であると家主から認識されていることを強く気づかせることができ、効果的に不審者を威嚇することが可能となる。
【００２９】
また、本実施形態によれば、威嚇処理において、不審者を検知して不審者に最も近いスピーカ２０から威嚇音を出力させる処理が繰り返し実行される。そのため、不審者の移動に追随してそのとき最も近いスピーカ２０から威嚇音が出力されることとなり、より効果的に不審者を威嚇することが可能となる。
【００３０】
（実施形態２）
続いて、本発明の実施形態２について説明する。なお、実施形態１と実質的に同一の構成については、同じ符号を付し、適宜説明を簡略化、又は省略する。図４に示すように、実施形態２に係るセキュリティシステム２は、照明装置３０Ａ、３０Ｂを新たに備える。
【００３１】
照明装置３０Ａ、３０Ｂは、それぞれ、図面における部屋の左右に設置され部屋を照明する。照明装置３０Ａ、３０Ｂは、スピーカ２０と同様に無線接続機能を有しており、無線により空調機１０と通信することが可能である。例えば、照明装置３０Ａ、３０Ｂは、空調機１０からの指示に基づいて、不審者を威嚇するために予め定めた時間間隔で点滅する威嚇動作を実行する。なお、空調機１０の記憶部１４には、照明装置３０Ａ、３０Ｂの部屋内での位置を示すデータが新たに記憶されている。なお、以下の説明では、照明装置３０Ａ、３０Ｂを区別しない場合は照明装置３０とも表記する。本実施形態におけるスピーカ２０Ａ、２０Ｂは、本発明に係る第１の威嚇装置の一例であり、照明装置３０Ａ、３０Ｂは、本発明に係る第２の威嚇装置の一例である。
【００３２】
続いて、本実施形態において空調機１０の制御部１５が実行する威嚇処理の動作について、図５のフローチャートを用いて説明する。なお、実施形態１の威嚇処理と同様の処理については、適宜説明を簡略化、又は省略する。
【００３３】
まず、空調機１０の制御部１５は、現在の運転モードが「留守モード」であるか否かを判別する（ステップＳ２０１）。「留守モード」である場合は（ステップＳ２０１；Ｙｅｓ）、撮像部１３が撮像した最新の熱画像に基づいて不審者を検知する（ステップＳ２０２）。
【００３４】
そして、ステップＳ２０２で不審者を検知した場合（ステップＳ２０３；Ｙｅｓ）、制御部１５は、検知した不審者に最も近いスピーカ２０を特定するとともに、このスピーカ２０と不審者との間の距離を求める（ステップＳ２０４）。
【００３５】
そして、求めた距離が予め定めた閾値以下の場合（ステップＳ２０５；Ｙｅｓ）、制御部１５は、特定した不審者に最も近いスピーカ２０に威嚇音の出力を指示する（ステップＳ２０６）。これにより、当該指示を受けた不審者に近い方のスピーカ２０からは威嚇音が出力される。そして、ステップＳ２０１に処理は戻る。
【００３６】
一方、判別した距離が予め定めた閾値より大きい場合（ステップＳ２０５；Ｎｏ）、制御部１５は、検知した不審者に最も近い照明装置３０を特定する（ステップＳ２０７）。そして、制御部１５は、特定した照明装置３０に威嚇動作を指示する（ステップＳ２０８）。これにより、当該指示を受けた不審者に近い方の照明装置３０は、予め定めた時間間隔で点滅する威嚇動作を実行して不審者を威嚇する。そして、ステップＳ２０１に処理は戻る。
【００３７】
このように、本実施形態によれば、音による威嚇動作を実行可能なスピーカ２０だけでなく、光による威嚇動作を実行可能な照明装置３０を備えている場合でも、予め定めた基準に合致するスピーカ２０、若しくは照明装置３０のみから威嚇動作を行うことで、効果的に不審者を威嚇することが可能となる。
【００３８】
具体的には、本実施形態では、不審者に最も近いスピーカ２０であっても、不審者との距離がある程度離れている場合には、このスピーカ２０から威嚇音を出力させても不審者は自分に対する威嚇であると認識しづらく、威嚇の効果は低いと推定されるため、最も不審者に近い照明装置３０により威嚇動作が実行される。これにより効果的に不審者を威嚇することが可能となる。
【００３９】
（変形例）
なお、本発明は、上記各実施形態に限定されず、本発明の要旨を逸脱しない範囲での種々の変更は勿論可能である。
【００４０】
例えば、実施形態１では、威嚇装置として音による威嚇を行う２台のスピーカ２０Ａ、２０Ｂを備えるセキュリティシステム１について説明した。また、実施形態２では、威嚇装置として２台のスピーカ２０Ａ、２０Ｂと光による威嚇を行う２台の照明装置３０Ａ、３０Ｂとを備えるセキュリティシステム２について説明した。しかしこれに限らず、セキュリティシステム１、２は、より多くのスピーカ２０、照明装置３０を備えていてもよく、音、光以外に振動、画像等による威嚇動作を実行する威嚇装置を備えていてもよい。
【００４１】
例えば、実施形態１、２では、威嚇処理において、１つの威嚇装置（スピーカ２０又は照明装置３０）に威嚇動作を実行させたが、基準に合致する複数の威嚇装置に威嚇動作を実行させてもよい。例えば、不審者と複数の威嚇装置それぞれとの間の距離を判別し、距離が閾値以内にある威嚇装置全てに威嚇動作を実行させてもよい。
【００４２】
例えば、実施形態１，２では、威嚇装置である複数のスピーカ２０、照明装置３０それぞれと不審者との間の距離に基づいて、威嚇動作を実行させる威嚇装置を判別した。しかしながら、環境、時間帯等のような他の基準に基づいて威嚇動作を実行させる威嚇装置を判別してもよい。例えば、部屋内が明るい環境では、照明装置３０が威嚇動作を実行しても威嚇の効果は低い。そのため、威嚇処理において制御部１５は、図示せぬ照度センサから取得した部屋内の照度が閾値よりも高い場合、若しくは、現在が昼間の時間帯である場合は、照明装置３０による威嚇動作は実行させずに、スピーカ２０による威嚇動作のみを実行させてもよい。
【００４３】
例えば、実施形態１、２では、空調機１０の備える撮像部１３が部屋内の熱画像を撮像したが、空調機１０とは独立した赤外線カメラ、赤外線センサ等が熱画像を撮像してもよい。また、熱画像に限らず、通常のカメラで撮像した画像から不審者を検知してもよい。この場合は、予め部屋の利用者の顔の特徴を示すデータを記憶部１４に記憶させておき、当該データを参照して画像内の人物が部屋の利用者であるか否かを判別することにより、不審者を検知してもよい。
【００４４】
また、実施形態１、２では、空調機１０の制御部１５が威嚇処理を実行したが、空調機とは独立した空調コントローラ、ＰＣ（Personal Computer）、サーバ等の装置が威嚇処理を実行してもよい。例えば、図６に示すように、空調機１０を、ルータ４０を介して、インターネットＮ１上のクラウドサーバ５０と通信可能に接続させる。そして、空調機１０の制御部１５の代わりにクラウドサーバ５０が威嚇処理を実行してもよい。このようにすることで、より高度な処理をクラウドサーバ５０で実行することができるため、不審者判別の精度及び処理速度を向上させることが可能となる。
【００４５】
また、実施形態１、２において空調機１０の制御部１５が実行するプログラムを、既存のコンピュータに適用することで、当該コンピュータを本発明に係る制御部として機能させることも可能である。
【００４６】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【００４７】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００４８】
１，２  セキュリティシステム、１０  空調機、２０（２０Ａ，２０Ｂ）  スピーカ、３０（３０Ａ，３０Ｂ）  照明装置、４０  ルータ、５０  クラウドサーバ、Ｎ１  インターネット、１１  空調機能部、１２  通信部、１３  撮像部、１４  記憶部、１５  制御部、１５１  不審者検知部、１５２  威嚇部
【図１】
2020080030.tif 000003
【図２】
2020080030.tif 000004
【図３】
2020080030.tif 000005
【図４】
2020080030.tif 000006
【図５】
2020080030.tif 000007
【図６】
2020080030.tif 000008